(57)【特許請求の範囲】
【請求項１】
表示部と、
操作者が操作可能な入力部と、
生地の少なくとも商品名及び重さを含む商品データと、生地の風合いとして、視覚及び触覚を感性尺度として生地を評価した感性評価値データと、少なくとも生地の生地種、素材及び生地の用途を基本項目とする基本項目データとがそれぞれ関連付けして記憶された記憶部と、
前記表示部に、前記感性評価値データから生地を検索するか、又は前記基本項目データから生地を検索するかを選択させる画面を表示し、
操作者が前記感性評価値データから生地を検索することを選択した場合には生地の感性評価値を選択可能に示された画面を前記表示部に表示し、前記入力部によって選択された感性評価値に該当する生地の前記商品データを前記記憶部から検索し、検索結果を前記表示部に表示し、
操作者が前記基本項目データから生地を検索することを選択した場合には、前記基本項目を選択可能に示された画面を前記表示部に表示し、前記基本項目の少なくとも１つ以上に対して前記入力部によって選択されたものに該当する生地の前記商品データを前記記憶部から検索し、検索結果を前記表示部に表示する検索手段と、を具備し、
前記検索手段は、
操作者が前記感性評価値データから生地を検索することを選択した場合には、前記生地種を選択したうえで感性評価値の選択可能となるように、前記生地種及び感性評価値を選択可能に示された画面を前記表示部に表示し、
選択された生地種の中から、選択された感性評価値に該当する生地の前記商品データを前記記憶部から検索し、検索結果を前記表示部に表示することを特徴とする生地検索システム。
【発明の詳細な説明】
【技術分野】
【０００１】
本発明は、生地を検索するためのシステム及びプログラムに関する。
【背景技術】
【０００２】
例えばアパレルメーカーなどが生地を選定する場合、展示会などで直接その生地を見て選定するか、又は生地メーカーが持ち込んできたサンプルから選定することが多かった。
しかし、このように最初に生地を見たうえで、手触り等により選定する場合は、見た目と触感だけで選定する結果となってしまい、生地の性質を踏まえたうえでの選定が困難である。また、生地には極めて多数の商品があるから、生地を見て選ぶ方法では、商品を選択する余地が限定され、より的確な生地を選定することができない可能性がある。
【０００３】
一方、アパレル業界の各企業が個別に保有している各種情報を１つのデータベースとして構成する情報処理装置が提案されている（例えば、特許文献１参照）。
この情報処理装置は、服及びテキスタイル生地の企画から製造販売に至るまでのアパレル業界の各部署に分散保持されていた各種業務情報が統合されたネットワークを構築し、販売会社、アパレル会社、縫製会社、部材卸会社それぞれに設置された各端末機から何らかの業務指示をなされたときに、各端末機に公衆電話回線を介して相互アクセス可能に結合された統合データベース管理システムにより、その業務を支援するのに必要な各種情報を適宜統合データベースの複数のデータベースから検索して要求のあった端末機に出力することができる。
【先行技術文献】
【特許文献】
【０００４】
【特許文献１】特開平５−３０７５５６号公報
【発明の開示】
【発明が解決しようとする課題】
【０００５】
上記の特許文献１では、統合データベースに服を生産する工程に関する生産情報として、縫製、縫製生産管理、部材、部材生産管理等の情報が記憶されていると記載されている。
そして、縫製に関する情報とは、服を作る生産工程に関する様々な情報であり、縫製生産管理とは、各縫製会社の負荷状況等の情報であり、部材とは、生地を作る上での必要な加工情報であり、部材生産管理とは、糸、染、織等の各加工会社の工程不可状況等の情報である。
【０００６】
しかしながら、上記の統合データベースを有する特許文献１の内容には、デザイナーが生地を選定する際に参考となる情報については何ら記載されていない。
特に、デザイナーが新たな服を作る際に必要な情報としては、生地の性能、生地の風合いなどであるが、このような情報は、生地メーカーにとっては自社の生地の宣伝でもあるため、客観的な評価基準が存在しない。これらの情報は、生地を選定する情報としてはあいまいなため、これらの情報に基づいて生地を選択しても目的とする生地を得ることができず、また対象とする商品数が多すぎて的確な絞り込みができない。
このため、デザイナーは展示会などで直接その生地を見て選定するか、又は生地メーカーが持ち込んできたサンプルから選定している、しかし、現物を見て判断する方法では、どうしても生地の選択範囲が限られる。したがって、生地の現物が無くても生地の検索方法を工夫することで、目的とする生地に相当する商品の絞り込みができれば、絞り込んだ商品を取り寄せて選定することで、さらに確実に生地を選択することが可能である。
【０００７】
そこで、本発明は上記課題を解決すべくなされ、その目的とするところは、デザイナーやアパレルメーカーの生地担当者等が生地を選定する際に目的の生地を見つけやすいシステムを提供することにある。
【課題を解決するための手段】
【０００８】
本発明は上記目的を達成すべく、以下の構成を備える。
すなわち、本発明にかかる生地検索システムによれば、表示部と、操作者が操作可能な入力部と、生地の少なくとも商品名及び重さを含む商品データと、生地の風合いとして、視覚及び触覚を感性尺度として生地を評価した感性評価値データと、少なくとも生地の生地種、素材及び生地の用途を基本項目とする基本項目データとがそれぞれ関連付けして記憶された記憶部と、前記表示部に、前記感性評価値データから生地を検索するか、又は前記基本項目データから生地を検索するかを選択させる画面を表示し、操作者が前記感性評価値データから生地を検索することを選択した場合には生地の感性評価値を選択可能に示された画面を前記表示部に表示し、前記入力部によって選択された感性評価値に該当する生地の前記商品データを前記記憶部から検索し、検索結果を前記表示部に表示し、操作者が前記基本項目データから生地を検索することを選択した場合には、前記基本項目を選択可能に示された画面を前記表示部に表示し、前記基本項目の少なくとも１つ以上に対して前記入力部によって選択されたものに該当する生地の前記商品データを前記記憶部から検索し、検索結果を前記表示部に表示する検索手段と、を具備し、前記検索手段は、操作者が前記感性評価値データから生地を検索することを選択した場合には、前記生地種を選択したうえで感性評価値の選択可能となるように、前記生地種及び感性評価値を選択可能に示された画面を前記表示部に表示し、選択された生地種の中から、選択された感性評価値に該当する生地の前記商品データを前記記憶部から検索し、検索結果を前記表示部に表示することを特徴としている。
この構成を採用することによって、生地を選定しようとする者は、感性評価値データからの検索又は基本項目データからの検索のいずれかから検索を始めるかを選択できる。つまり、作製しようとする服のイメージから検索する場合には評価値データからの検索をすればよいし、作製しようとする服の対象がはっきりしていれば基本項目データからの検索もできる。したがって、生地を選定する際に目的の生地を見つけやすい。
また、この構成によれば、生地種とともに感性評価値データにより検索することで目的の生地を迅速に検索することができる。
【発明の効果】
【００１６】
本発明にかかる生地検索システム及び生地検索プログラムによれば、デザイナーが生地を選定する際に目的の生地を容易に見つけることができる。
【図面の簡単な説明】
【００１７】
【図１】生地検索システムの全体構成を示す説明図である。
【図２】データベースの構造を示す説明図である。
【図３】感性評価値（感性尺度）の説明図である。
【図４】生地検索システムを立ち上げた際に表示される画面の説明図である。
【図５】生地種絞り込み画面の説明図である。
【図６】生地詳細画面の説明図である。
【図７】商品一覧画面の説明図である。
【図８】商品詳細画面の説明図である。
【図９】商品絞り込み画面の説明図である。
【図１０】感性評価値（感性尺度）のデータ構造を示す説明図である。
【図１１】生地種からの絞り込みによる検索過程を示す説明図である。
【図１２】感覚表現フリーワードを用いた検索過程を示す説明図である。
【図１３】感覚表現フリーワード及び感性評価値（感性尺度）を用いた検索過程を示す説明図である。
【発明を実施するための最良の形態】
【００１８】
以下、本発明の好適な実施の形態を添付図面に基づいて詳細に説明する。
図１に、本実施形態の生地検索システムの概略構成を示す。
生地検索システム１０は、一般的なコンピュータによって構成することができる。生地検索システム１０は、表示部１２、マウスやキーボードを含む入力部１４、ＣＣＰＵ、ＲＡＭ及びＲＯＭ等から構成される制御部１６、ＨＤＤ等の記憶部１８とを備えている。
この記憶部１８に、後述する各データが記憶されてデータベースＤＢが構築される。データベースＤＢには、各生地の商品データ２０と、各生地の感性評価値データ２２と、各生地の基本項目データ２４が記憶されている。さらに、データベースＤＢには各生地に対する感覚的表現２６が記憶されている。
【００１９】
また、検索システムを実行する生地検索プログラムＰが記憶部１８に記憶されている。
制御部１６が生地検索プログラムＰを読み出して実行することにより、検索手段２８を実現する。
検索手段２８は、記憶部１８に構築されているデータベース内のデータを操作者が入力部１４から入力した内容に基づいて検索し、また検索結果を表示部１２に表示するように動作する。
【００２０】
図２に、本実施形態において、記憶部１８に記憶されているデータベースＤＢの詳細なデータ構造を示す。
本実施形態におけるデータベースＤＢは、データ構造として大きく２つのデータベースの結合である。２つのデータベースのうちの一方は商品名を基準として種々のデータが整理されている商品データベースＤＢ１であり、他方は生地種を基準として種々のデータが整理されている生地種データベースＤＢ２である。
【００２１】
商品データベースＤＢ１を説明する。
商品データベースＤＢ１には、生地の商品名に対し、その生地の重さ、その生地の組成、その生地の会社名が記憶されている。また、生地の商品名に対し、その生地の感性評価値が記憶されている。したがって、商品データベースＤＢ１は、特許請求の範囲でいう、商品データと、感性評価値データとが記憶されていることになる。
【００２２】
図２に示す感性評価値データは、感性尺度として記載されており、各生地に対して光沢感、薄さ、柔らかさ、及びなめらかさの４つの尺度をデータ化している。これら４つの尺度は、複数段階で評価されており、本実施形態では評価値が−３〜３のいずれかの段階で評価されている。すなわちこの実施形態では、−３、−２、−１、０、１、２、３の７段階の評価になる。
【００２３】
なお、感性評価値は、生地に関しての知見が高い評価者が評価しておくようにするとよい。具体的には、デザイナー経験のある評価者が実際の生地を評価することによって算出するようにした。
本実施形態では、評価値を７段階で評価しているが、評価値の段階は７段階に限定するものではなく、５段階、３段階といった段階の評価とすることもできる。また、段階的評価ではなく、設定評価範囲内での連続的なレベル評価とすることも可能である。
以下、本明細書中では感性評価値を感性尺度として記載することもあるが、同一の意味である。
【００２４】
商品データベースＤＢ１の重さとは、各生地の単位面積当たりの重さのことであり、本実施形態の商品データベースＤＢ１では、ｇ／ｍ2をその値として記憶されている。
商品データベースＤＢ１の組成とは、各生地を構成する繊維の組成のことであって、例えばウール１００％、ポリエステル７０／レーヨン３０％、等が記憶されている。
商品データベースＤＢ１の会社名とは、各生地を製造した会社名を指す。
【００２５】
次に生地種データベースＤＢ２について説明する。
生地種データベースＤＢ２には、生地の生地種に対し、その素材、組織、目的、シーズン、アイテム、及び生地に対する感覚的表現が記憶されている。したがって、生地種データベースＤＢ２には、特許請求の範囲でいう基本項目データと、生地に対する感覚的表現が記憶されていることになる。
【００２６】
生地種データベースＤＢ２の生地種とは、生地の種類の名称のことであり、例えば、カルゼ、メルトン、ジョーセット、デニム、ツイード、オーガンシー、ヘリンボン、クレープ、コーデュロイ、サキソニー、フラノ、サテン、リネン、ボイル、ブロード、オックスフォード、シャンタン、サッカー、ローン、ギャバジン、アムンゼン、グログラン、ベロア、タフタ、シフォン、シャンブレー、サージ、ビエラ、デシン、ダブルクロス等があげられる。
【００２７】
生地種データベースＤＢ２の素材とは、各生地を構成する繊維の名前のことであり、例えば、コットン、ウール、シルク、リネン等があげられる。なお、商品データベースＤＢ１における組成の方は各繊維の含有割合を詳細に説明している点で、生地種データベースＤＢ２の素材とは異なっている。
【００２８】
生地種データベースＤＢ２の組織とは、各生地の織編みの種類のことであり、例えば、平織、綾織、斜文織、杉文織、平編み、トリコット等があげられる。
生地種データベースＤＢ２の目的とは、作製しようとする服の目的のことであり、例えば、フォーマル、カジュアル、タウン、ビジネス、ソシアル、ホーム等があげられる。
【００２９】
生地種データベースＤＢ２のシーズンとは、作製しようとする服が着用されるシーズンのことであり、春、夏、秋、冬があげられる。
生地種データベースＤＢ２のアイテムとは、作製しようとする服そのもののことであり、例えば、ブラウス、シャツ、ドレス、ワンピース、スカート、パンツ、ジャケット、スーツ、パジャマ、運動着、作業着、裏地等があげられる。
【００３０】
生地種データベースＤＢ２の感覚表現（特許請求の範囲でいう感覚的表現）とは、デザイナー等が生地に対してイメージする言葉として様々な表現であらわしたものであり、各生地に対してよく用いられる表現を収集して構成した。
この感覚表現は、デザイナー経験のある評価者が実際の生地を評価することによって収集するようにした。
以下、本明細書中では感覚的表現について感覚表現と記載することもあるが意味は同一である。
【００３１】
また、生地種データベースＤＢ２には、各生地のイメージ画像が記憶されている。
イメージ画像そのもので検索することはできないが、他の項目によって検索された結果としてイメージ画像を表示させることにより、生地選択の判断をより確実なものとすることができる。
【００３２】
図３に、生地種データベースＤＢ２における、感覚表現の例を一覧表としてまとめた。
この表の例によると、各生地種に対して、シック（厚さ）、ハード（硬さ）、ドライ（乾き）、ラスティック（粗さ）、シン（薄さ）、ソフト（柔らかさ）、ウェット（濡れ）、フラット（平ら）という８つの感覚的な項目における表現をまとめている。
【００３３】
図３に示すように、感覚表現は例えばシックに対しても、厚い、厚手の、かなり厚い等、各生地種に対して複数の表現がなされる。
また、例えばカルゼに対してシックとして、かなり厚い、厚手の、厚い等、同一の生地種に対して複数の表現が対応する場合もある。
さらに、例えばメルトンに対してドライ、ラスティック、シン、ウェット、フラットについて感覚表現が存在しない等、生地種によっては感覚表現が存在しない感覚的な項目もありうる。
【００３４】
次に、実際にどのように生地を検索していくか図面に基づいて説明する。
ユーザが検索手段２８を起動させると、表示部１２には図４に示す画面が表示される。
この画面では、生地種絞り込みボタン３０、商品絞り込みボタン３２、データ追加・編集ボタン３４、終了ボタン３６が表示されている。
【００３５】
ユーザが生地種絞り込みボタン３０をマウス等で押下すると、図５に示す画面が表示部１２に表示される。以下、図５における画面を生地種絞り込み画面と称する。
生地種絞り込み画面には、複数の選択欄が設けられている。選択欄としては、生地種選択欄４０、素材選択欄４２、シーズン選択欄４４、アイテム選択欄４６、組織選択欄４８、イメージ選択欄５０等がある。また、感覚表現入力欄５２が設けられている。
上記の各選択欄にはプルダウンボタンが設けられており、商品データベースＤＢ１及び生地種データベースＤＢ２に記憶されている各データを選択できるよう、表示される。
なお、検索手段２８は、各選択欄で選択された検索項目については互いにＡＮＤ検索で検索を実行する。ただし、検索手段２８は、各選択欄で選択された検索項目をＯＲ検索で検索を実行するようにしてもよい。ＡＮＤ検索かＯＲ検索かをユーザが選択できるようにしてもよい。
【００３６】
感覚表現入力欄５２には、ユーザがフリーワードを入力できる。
なお、上記の各選択欄はすべて選択する必要はなく、また感覚表現入力欄５２も必ずしも入力する必要はない。感覚表現入力欄５２に複数のフリーワードが入力されたと検索手段２８が認識した場合、すなわちフリーワードとフリーワードの間にスペースが挿入されている場合は、検索手段２８は複数のフリーワードに対してＯＲ検索を実行する。ただし、検索手段２８は、フリーワードに対してＡＮＤ検索で検索を実行するようにしてもよい。ＡＮＤ検索かＯＲ検索かをユーザが選択できるようにしてもよい。
【００３７】
生地種絞り込み画面には、検索ボタン５４と解除ボタン５６が設けられている。
検索ボタン５４が押下されると、検索手段２８が生地種選択欄４０、素材選択欄４２、シーズン選択欄４４、アイテム選択欄４６、組織選択欄４８、イメージ選択欄５０等で選択された項目、及び感覚表現入力欄５２に入力されたフリーワードを全てＡＮＤ条件で、生地種データベースＤＢ２内で検索を実行する。ただし、検索手段２８は、各選択欄で選択された項目及びフリーワードに対してＯＲ検索で検索を実行するようにしてもよい。ＡＮＤ検索かＯＲ検索かをユーザが選択できるようにしてもよい。
解除ボタン５６が押下されると、検索手段２８は上記各選択欄で選択した内容及び感覚表現入力欄５２で入力した内容を削除してクリアする。
【００３８】
検索結果は、生地種絞り込み画面の下部に表示される。
検索結果には、検索手段２８によって生地種データベースＤＢ２を検索した結果が表示される。検索して該当する生地の結果として、生地種、素材、シーズン、アイテム、イメージ画像が表示される。これらの内容を検索手段２８が記憶部１８から抽出して表示させる。なお、イメージ画像については図２には記載されていないが、生地種データベースＤＢ２に記憶されているものである。
また、検索結果の左側の端部には、生地詳細商品一覧ボタン６０が設けられている。
【００３９】
生地詳細商品一覧ボタン６０がクリックされると、検索手段２８は、該当する生地種の詳細な説明画面を表示部１２に表示させる。生地種の詳細な説明画面を、図６に示す。
図６に示す生地種の詳細な説明画面では、選択された生地種の素材、シーズン、アイテム、感覚表現、用途、糸、組織、イメージ、解説、辞書表現、アパレル表現、イメージ画像が表示される。
【００４０】
上記の項目のうち、糸、イメージ、解説、辞書表現、アパレル表現の各項目については、図２に示すデータ構造には示されていないが、生地種データベースＤＢ２にあらかじめ記憶されている内容である。これらの内容を検索手段２８が記憶部１８から抽出して表示させる。
なお、糸とは、生地を構成する糸について解説したものであり、イメージとは、生地が有するイメージをアパレル用語などで端的に表現したものである。
解説とは、ＪＩＳに基づいた生地の定義文章であり、辞書表現とは、辞書に掲載されている生地の説明文章であり、アパレル表現とは、雑誌・カタログなどのアパレル商品の説明に記載されている生地の説明文章である。
【００４１】
図７に、生地種の詳細な説明画面とともに表示される商品サンプル一覧画面を示す。
生地種の詳細な説明画面とともに、当該生地種による商品のイメージ画像、商品名、重さ、組成が表示される。商品名、重さ、組成については商品データベースＤＢ１に記憶されているものであり、検索手段２８は、選択された生地種から商品データベースＤＢ１内の該当する商品名及びこれに従属する各項目のデータを取り出して、表示部１２に表示させる。
【００４２】
商品サンプル一覧画面には、各商品に対する詳細ボタン６２が設けられている。
ユーザが詳細ボタン６２をクリックすると、検索手段２８は図８に示すような商品詳細画面を表示させる。
商品詳細画面は、商品サンプル一覧画面において選択された商品の商品名、企業名、多さ、組成、感性評価値（薄さ、柔らかさ、光沢感、なめらかさ）を表示する。
なお、感性評価値（薄さ、柔らかさ、光沢感、なめらかさ）についてはあらかじめ記憶された数値であり、特許請求の範囲でいう感性評価値データ２２に基づくものである。
これらの内容は、検索手段２８が、選択された商品名に基づいて、商品データベースＤＢ１内の該当する各項目のデータを取り出して、表示部１２に表示させる。
【００４３】
次に、図４において商品絞り込みボタン３２をクリックしたときの検索動作について以下に説明する。
商品絞り込みボタン３２が操作されることで、検索手段２８は、図９に示すように感性尺度検索画面を表示部１２に表示する。
【００４４】
感性尺度検索画面では、感性尺度（感性評価値）として、光沢感、柔らかさ、薄さ、なめらかさの４つの項目を設定し、各項目において−３、−２、−１、０、１、２、３の７段階の選択ボタン６４、６６、６８、７０が設けられている。
光沢感の各段階は、−３が乾いた、０が標準、３が光沢感、である。柔らかさの各段階は、−３が硬い、０が標準、３が柔らかい、である。薄さの各段階は、−３が厚く、０が標準、３が薄い、である。なめらかさの各段階は、−３が粗い、０が標準、３がなめらか、である。
【００４５】
また、図９に示す感性尺度検索画面では、感性尺度の各段階を選択可能とするとともに、生地種を選択する生地種選択欄７２が形成されている。
生地種選択欄７２には、図９では例として９種類の生地種ボタンが設けられている。９種類とは、メルトン、ローン、タフタ、カルゼ、シフォン、アムンゼン、デニム、サキソニー、ヘリンボーンの９つである。他に解除ボタン７４が設けられており、解除ボタン７４がクリックされると、生地種選択欄７２でクリックした各ボタンが解除される。
なお、生地種選択欄７２に表示される生地種については図９に示す例に限定するものではない。
【００４６】
生地種選択欄７２で１又は複数の生地種を選択したのち、感性尺度の４つの項目のうちのいずれか１又は複数の項目の感性尺度を選択することで、選択された生地種における感性尺度に基づいた検索ができる。
ただし、これはある程度生地種に関しての知識がある場合又はすでに生地種が決定されている場合には有効な検索方法である。
【００４７】
なお、特定の生地種における感性尺度での検索ではなく、全体からの絞り込みが必要な場合は、感性尺度の４つの各項目に対し「全体から選ぶ」ボタン７６、７８、８０、８２が設けられている。
各全体から選ぶボタン７６、７８、８０、８２は、上述した各項目の選択ボタンと同様の構成となっている。すなわち、光沢感の全体から選ぶボタン７６は、−３、−２、−１、０、１、２、３の７段階であって、−３が乾いた、０が標準、３が光沢感、である。柔らかさの全体から選ぶボタン７８は、−３、−２、−１、０、１、２、３の７段階であって、−３が硬い、０が標準、３が柔らかい、である。薄さの全体から選ぶボタン８０は、−３、−２、−１、０、１、２、３の７段階であって、−３が厚く、０が標準、３が薄い、である。なめらかさの全体から選ぶボタン８２は、−３、−２、−１、０、１、２、３の７段階であって、−３が粗い、０が標準、３がなめらか、である。
【００４８】
図１０に本実施形態の記憶部を詳細にした説明図を示す。
各項目における感性尺度は、所定の生地種の中における尺度（相対値）か、生地種全体の中での尺度（絶対値）か、尺度として２種類の数値が存在する。
これらの数値は、感性評価値データ２２として、相対値、絶対値として記憶部１８に記憶される。なお、相対値、絶対値ともにそれぞれ感性評価値データ２２として、基本項目データ２４、商品データ２０、生地に対する感覚的表現２６と関連付けされている。
【００４９】
なお、検索手段２８は、感性尺度としての図９において選択された複数の感性尺度は、互いにＡＮＤ検索となるように動作することを基本動作とする。
【００５０】
次に、本実施形態のシステムを実務経験者によって生地を検索した結果について説明する。
（実施例１）
実施例１は、アイテムとしてブラウスを想定した例であり、図１１に基づいて説明する。
操作者は、図５に示すような生地種絞り込み画面から生地名ローンを選択し、検索ボタン５４をクリックし、検索を実行した。
そして、検索結果として図７に示すような商品サンプル一覧画面が表示された。操作者は、商品サンプル一覧画面から組成コットン１００を選択し、さらに詳細ボタン６２をクリックした。
すると図８に示すような商品詳細画面において商品名８０／−ナチュラルローンが表示された。
操作者はこの時点で商品名８０／−ナチュラルローンの商品サンプル（実物）を実際に手で触れることで、生地を８０／−ナチュラルローンに決定した。
【００５１】
（実施例２）
実施例２は、アイテムとしてブラウスを想定した例であるが、感性評価値データを利用して検索を実行したものであり、図１２に基づいて説明する。
操作者は、図５に示すような生地種絞り込み画面で、感覚表現入力欄５２に「透け感」を入力して検索ボタン５４をクリックした。すると検索手段２８は、入力した「透け感」に該当する生地名を検索して検索結果として表示される。
操作者は、検索結果を見て生地種ローンが適していると判断し、図９に示したような商品絞り込み画面にて、生地種ローンを選択し、柔らかさ０（普通）、薄さ（普通）を選択して検索を実行した。
すると図８に示すような商品詳細画面において商品名８０／−ナチュラルローンが表示された。
【００５２】
感性評価値データを利用しない実施例１と、感性評価値データを利用した実施例２を比較すると、両者とも同じ商品を最終的に検索して決定することができた。
【００５３】
（他の実施例）
他の実施例として、図１３に基づいて説明する。
例えばジャケットをアイテムとする場合に、まず感性情報なしのカテゴリ検索で「ウール」「冬」等を選択したが、出てきた生地種の一覧からは候補の商品の絞込みまでたどり着くことができなかった。
理由として、検索結果が重衣料向けの生地種のみであり、ハリ感のある生地が一覧に出てこなかったためであると考えられる。
しかし、感性情報フリーワードにおいて「ハリ感」というワードを入力し，「カルゼ」の詳細画面を読んで生地種を決定した。詳細をみることによって知識のない生地に対しても知識を得ることができ、納得してジャケットに用いる生地種を決定することができたと考えられる。
さらに、カルゼ商品の絞込みには、感性尺度について薄さ−３、柔らかさ−１を選び商品候補を決定することができた。
このように、制約条件がない場合に，感性情報を用いた検索は，経験のない生地や新開発生地を調べるのに役に立つことが考えられる。
【００５４】
さらに、他の例として、例えばスカートをアイテムとする場合には、生地の厚さと柔らかさを考慮する必要がある。
このような場合、数値化された感性評価値を検索項目として利用することにより、迅速かつ確実な検索が可能である。
【００５５】
以上本発明につき好適な実施例を挙げて種々説明したが、本発明はこの実施例に限定されるものではなく、発明の精神を逸脱しない範囲内で多くの改変を施し得るのはもちろんである。
【符号の説明】
【００５６】
１０  生地検索システム
１２  表示部
１４  入力部
１６  制御部
１８  記憶部
２０  商品データ
２２  感性評価値データ
２４  基本項目データ
２６  感覚的表現
２８  検索手段
３０  生地種絞り込みボタン
３２  商品絞り込みボタン
３４  データ追加・編集ボタン
３６  終了ボタン
４０  生地種選択欄
４２  素材選択欄
４４  シーズン選択欄
４６  アイテム選択欄
４８  組織選択欄
５０  イメージ選択欄
５２  感覚表現入力欄
５４  検索ボタン
５６  解除ボタン
６０  生地詳細商品一覧ボタン
６２  詳細ボタン
６４  選択ボタン
７２  生地種選択欄
７４  解除ボタン
７６，７８，８０，８２  全体から選ぶボタン
ＤＢ  データベース
ＤＢ１  商品データベース
ＤＢ２  生地種データベース
Ｐ  生地検索プログラム
【図１】
0006611031.tif 000002
【図２】
0006611031.tif 000003
【図３】
0006611031.tif 000004
【図４】
0006611031.tif 000005
【図５】
0006611031.tif 000006
【図６】
0006611031.tif 000007
【図７】
0006611031.tif 000008
【図８】
0006611031.tif 000009
【図９】
0006611031.tif 000010
【図１０】
0006611031.tif 000011
【図１１】
0006611031.tif 000012
【図１２】
0006611031.tif 000013
【図１３】
0006611031.tif 000014